(57)【要約】【課題】昇降グリルにおいて、吸入グリルへのワイヤーの取り付けを容易にし、吸入グリルへ装着する部品を少なくすること。【解決手段】昇降グリルのワイヤー１４にワイヤーの摺動性がよい断面形状を有したワイヤーガイド２２を通して吸入グリル１０にワイヤーガイド２２を固定するためのワイヤーガイド固定板２３を設けたことにより、吸入グリル１０へ多数の部品を配置する必要がなく、吸入グリル１０へのワイヤー１４の装着が容易にできることにより、安価でスムーズな昇降動作をし、かつ施工性のよい昇降グリルを提供することができる。【選択図】図２
2008014604.tif 000002
【特許請求の範囲】
【請求項１】
吸込フィルターを保持する吸入グリルの複数箇所にそれぞれワイヤーの片端を連結し、熱交換器、送風機等を内蔵する室内ユニット本体もしくは前記室内ユニット本体下面の化粧パネルに設けられた複数のモーターで前記ワイヤーをそれぞれ巻き取ることにより、前記化粧パネルの吸込口に、前記吸入グリルを収納することができる空気調和機において、前記ワイヤーに前記吸入グリルを固定するためのワイヤーガイドを通し、前記吸入グリルに前記リールを固定するためのワイヤーガイド固定板を設けることを特徴とする空気調和機。
【請求項２】
前記ワイヤーガイドに前記吸入グリルに取り付けられている前記ワイヤーガイド固定板から着脱するためのつまみ部を設けることを特徴とする請求項１に記載の空気調和機。
【請求項３】
前記ワイヤーガイド固定板を前記吸入グリルの本体と一体成形することを特徴とする請求項１〜２のいずれかに記載の空気調和機。
【発明の詳細な説明】
【技術分野】
【０００１】
本発明は吸入フィルターの清掃を容易にする昇降装置を備えた空気調和機に関するものである。
【背景技術】
【０００２】
従来、この種の空気調和機の吸入フィルターのメンテナンスにおいて、脚立などに上がって高所で作業する危険および手間を無くすための方策がいくつか考案されている（例えば、特許文献１参照）。
【０００３】
図８は、特許文献１に記載された従来の空気調和機の縦断面図を示すものである。また、図９は従来の空気調和機の吸入グリルへのワイヤーリール固定部の詳細図を示すものである。また、図１０は従来の空気調和機の吸入グリルへのワイヤーリール固定部の断面図を示すものである。図８および図９および図１０に示すように、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸込口８が形成され、この吸込口８の両側には吹出口９が形成されている。吸込口８には吸込グリル１０が嵌合され、その背後には吸込フィルター１１が着脱自在に係止されている。化粧パネル７の内壁に取り付けられたブラケット１２には、正逆回転可能なモーター１３が固定されており、モーター１３の下部にワイヤー１４を巻き取るためのリール１５が取り付けられている。ワイヤー１４の先端をブラケット１２内に固定するためのワイヤー先端固定部１６を設けている。吸入グリル１０にはワイヤーリール１７がリール１５およびワイヤー先端固定部１６のほぼ真下の位置に配置されており、ワイヤーリール１７にワイヤー１４を引掛けて吸入グリル１０を吊り下げる。これらの装置が吸入グリル１０の対辺にも配置されており、吸入グリル１０をほぼ水平に吊り下げる構造となっている。
【０００４】
以上のように構成された昇降装置を備えた空気調和機について、以下その動作を説明する。吸込フィルター１１を洗浄する場合には、モーター１３を逆回転させる。そして、リール１５からワイヤー１４が巻き戻されて吸込グリル１０がほぼ水平状態のまま所定の高さに降下したときモーター１３を停止させる。この状態で床上の作業者が吸込グリル１０から吸込フィルター１１を取り外してこれを洗浄する。洗浄が終了すれば、吸込フィルター１１を吸込グリル１０に再び取り付け、モーター１３を正回転させることによりリール１５がワイヤー１４を巻き取る。そして、吸込グリル１０が上昇して化粧パネル７の吸入グリル収納部１８に到達したとき、モーター１３を停止させて、吸入グリル１０の収納が完了する。
【０００５】
ワイヤー１４の巻き取りおよび巻き戻しの際、吸入グリル１０の昇降動作をスムーズに行うため、ワイヤーリール１７がワイヤーリール固定軸１８を中心に回転するようになっている。
【特許文献１】特開平１１−３１１４２３号公報
【発明の開示】
【発明が解決しようとする課題】
【０００６】
しかしながら、前記従来の構成では、ワイヤーリール１７をワイヤーリール固定軸１８を中心に回転させるため、ワイヤーリール固定軸１８からワイヤーリール１７が外れないようにするためのストッパー２１やワイヤーリール１７を吸入グリル１０へ固定するためのワイヤーリール固定板１９およびワイヤーリール固定ネジ２０のような多数の部品が必
要であるという課題を有していた。
【０００７】
本発明は、前記従来の課題を解決するもので、吸入グリルにワイヤーリールを固定するために多数の部品を設けることなく、吸入グリルへのワイヤーの装着を容易に行うことができる昇降装置を備えた空気調和機を提供することを目的とする。
【課題を解決するための手段】
【０００８】
前記従来の課題を解決するために、本発明の空気調和機は、昇降グリルのワイヤーにワイヤーの摺動性がよい断面形状を有したワイヤーガイドを通して吸入グリルにワイヤーガイドを固定するためのワイヤーガイド固定板を設けたものである。
【０００９】
これによって、吸入グリルへ多数の部品を配置する必要がなく、吸入グリルへのワイヤーの装着が容易にできることにより、安価でスムーズな昇降動作をし、かつ施工性のよい昇降グリルを提供することができる。
【００１０】
また本発明の空気調和機は、ワイヤーガイドに着脱のためのつまみ部を設けたものである。これによって、ワイヤーガイドの着脱が容易になるため、施工性のよい昇降グリルを提供することができる。
【００１１】
また本発明の空気調和機は、吸入グリルとワイヤーガイド固定板を一体で成形したものである。これによって、ワイヤーガイド固定板やワイヤーガイド固定板を固定するためのビスが不要となるため安価で工数が少ない昇降グリルを提供することができる。
【発明の効果】
【００１２】
本発明の空気調和機は、吸入グリルへのワイヤーの装着が安価でかつ容易に行うことができ、スムーズな昇降動作を行うことができる。
【発明を実施するための最良の形態】
【００１３】
第１の発明は吸込フィルターを保持する吸入グリルの複数箇所にそれぞれワイヤーの片端を連結し、熱交換器、送風機等を内蔵する室内ユニット本体もしくは室内ユニット本体下面の化粧パネルに設けられた複数のモーターでワイヤーをそれぞれ巻き取ることにより、化粧パネルの吸込口に、吸入グリルを収納することができる空気調和機において、ワイヤーに吸入グリルを固定するためのワイヤーガイドを通し、吸入グリルにワイヤーガイドを固定するためのワイヤーガイド固定板を設けることにより、ワイヤーガイドを取り付けるための部品を吸入グリルに多数配置することが不要となり、安価でスムーズな動作をする昇降グリルを提供することができる。
【００１４】
第２の発明は、特に、第１の発明の空気調和機において、ワイヤーガイドに吸入グリルに取り付けられているワイヤーガイド固定板から着脱するためのつまみ部を設けることにより、ワイヤーガイドの着脱を容易に行うことができる。
【００１５】
第３の発明は、特に、第１または第２の発明の空気調和機において、ワイヤーガイド固定板を吸入グリルの本体と一体成形することにより、吸入グリルに取り付けるためのワイヤーガイド固定板が不要となり、安価な昇降グリルを提供することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の縦断面図を示すものである。
また、図２は吸入グリルへのワイヤーガイド取り付け部の斜視図を示すものである。また図３はワイヤーガイド断面図を示すものである。図４はワイヤーガイド取り付け詳細図を示すものである。
【００１８】
図１において、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸込口８が形成され、この吸込口８の両側には吹出口９が形成されている。吸込口８には吸込グリル１０が嵌合され、その背後には吸込フィルター１１が着脱自在に係止されている。化粧パネル７の内壁に取り付けられたブラケット１２には、正逆回転可能なモーター１３が固定されており、モーター１３の下部にワイヤー１４を巻き取るためのリールが取り付けられており、ワイヤー１４の巻き取りおよび巻き戻しによって、吸入グリル１０が昇降するようになっている。
【００１９】
以上のように構成された空気調和機について、以下その動作、作用を説明する。吸入グリル１０へのワイヤー１４の取り付けは、吸入グリル１０にワイヤーガイド固定板２３をワイヤーガイド取り付け板固定ネジ２４によって取り付け、ワイヤー１４をワイヤーガイド２２のワイヤー貫通部２７に２個通し、リール１５およびワイヤー先端固定部１６の下方に位置するワイヤーガイド固定板２３に図４の矢印の方向に差しこむ構造となっている。この時、ワイヤーガイド２２に係止爪２６を設け、ワイヤーガイド固定板２３に設けられた係止爪固定穴２５の位置までワイヤーガイド２２を差しこむことによりワイヤーガイド固定板２３からはワイヤーガイド２２が容易に外れなくなる。ワイヤーガイド２２のワイヤー貫通部２７は図３のように球面形状を施している。この形状により、ワイヤー１４の摺動がスムーズとなる。
【００２０】
以上のように、本実施の形態においては昇降グリルのワイヤーにワイヤーの摺動性がよい断面形状を有したワイヤーガイドを通して吸入グリルにワイヤーガイドを固定するためのワイヤーガイド固定板を設けたことにより、吸入グリルへ多数の部品を配置する必要がなく、吸入グリルへのワイヤーの装着が容易にできることにより、安価でスムーズな昇降動作をし、かつ施工性のよい昇降グリルを提供することができる。
【００２１】
（実施の形態２）
図５は、本発明の第２の実施の形態の空気調和機の吸入グリルへのワイヤーガイド取り付け部の斜視図を示すものである。また図６はワイヤーガイド挿入平面図を示すものである。
【００２２】
図５および図６において、ワイヤーガイド２２のワイヤー貫通部２７の反対側に２分割されたつまみ部２７を設けている。ワイヤーガイド２２のワイヤーガイド固定板２３への着脱の際、図６のようにつまみ部２７を指でつまむことにより、ワイヤーガイド固定板２３に配置されている係止爪固定穴２５からの係止爪２６の着脱が容易となる。
【００２３】
以上のように、本実施の形態においてはワイヤーガイドに着脱のためのつまみ部を設けたことにより、ワイヤーガイドの着脱が容易になるため、施工性のよい昇降グリルを提供することができる。
【００２４】
（実施の形態３）
図７は、本発明の第３の実施の形態の空気調和機の吸入グリルへのワイヤーガイド取り付け部の斜視図を示すものである。図７において、吸入グリル１０とワイヤーガイド固定板２３が一体で成形されている。
【００２５】
以上のように、吸入グリルとワイヤーガイド固定板を一体で成形することにより、ワイヤーガイド固定板やワイヤーガイド固定板を固定するためのビスが不要となるため安価で工数が少ない昇降グリルを提供することができる。
【産業上の利用可能性】
【００２６】
以上のように、本発明にかかる空気調和機は、昇降グリルのワイヤーにワイヤーの摺動性がよい断面形状を有したワイヤーガイドを通して吸入グリルにワイヤーガイドを固定するためのワイヤーガイド固定板を設けたものであり、これによって、吸入グリルへ多数の部品を配置する必要がなく、吸入グリルへのワイヤーの装着が容易にできることにより、安価でスムーズな昇降動作をし、かつ施工性のよい昇降グリルを提供することが可能となるので、昇降グリル以外の昇降装置を有するものにも適用できる。
【図面の簡単な説明】
【００２７】
【図１】本発明の第１の実施の形態における空気調和機の縦断面図
【図２】本発明の実施の形態１における空気調和機の吸入グリルへのワイヤーガイド取り付け部の斜視図
【図３】本発明の実施の形態１における空気調和機のワイヤーガイド断面図
【図４】本発明の実施の形態１における空気調和機のワイヤーガイド取り付け詳細図
【図５】本発明の実施の形態２における空気調和機の吸入グリルへのワイヤーガイド取り付け部の斜視図
【図６】本発明の実施の形態２における空気調和機のワイヤーガイド挿入平面図
【図７】本発明の実施の形態３における空気調和機の吸入グリルへのワイヤーガイド取り付け部の斜視図
【図８】従来の空気調和機の縦断面図
【図９】従来の空気調和機の吸入グリルへのワイヤーリール固定部の詳細図
【図１０】従来の空気調和機の吸入グリルへのワイヤーリール固定部の断面図
【符号の説明】
【００２８】
１  天井
２  室内ユニット本体
３  熱交換器
４  ドレンパン
５  送風機
６  ファンモーター
７  化粧パネル
８  吸入口
９  吹出口
１０  吸入グリル
１１  吸入フィルター
１２  ブラケット
１３  モーター
１４  ワイヤー
１５  リール
１６  ワイヤー先端固定部
１７  ワイヤーリール
１８  ワイヤーリール固定軸
１９  ワイヤーリール固定板
２０  ワイヤーリール固定ネジ
２１  ストッパー
２２  ワイヤーガイド
２３  ワイヤーガイド固定板
２４  ワイヤーガイド取り付け板固定ネジ
２５  係止爪固定穴
２６  係止爪
２７  ワイヤー貫通部
【図１】
2008014604.tif 000003
【図２】
2008014604.tif 000004
【図３】
2008014604.tif 000005
【図４】
2008014604.tif 000006
【図５】
2008014604.tif 000007
【図６】
2008014604.tif 000008
【図７】
2008014604.tif 000009
【図８】
2008014604.tif 000010
【図９】
2008014604.tif 000011
【図１０】
2008014604.tif 000012